(57)【特許請求の範囲】
【請求項１】
接続面にボンディングされたワイヤを３次元的に検出するボンディングワイヤの検出方法であって、
ボンディングされたワイヤ及び接続面の焦点の異なる画像を複数撮像し、
焦点の異なる複数の画像から、局所領域ごとにフォーカスを評価し、フォーカスの合っている局所画像の組み合わせで再構成されて全てのピクセルにおいてフォーカスが合っている前記ワイヤ及び接続面の全焦点画像と、この全焦点画像に対応し、撮像と同時に各画素ごとにフォーカス度合が最大となった時点における相対距離情報であって、撮像手段からの距離に応じて輝度により表現された前記ワイヤ及び接続面の距離画像を作成し、
前記全焦点画像から、ワイヤが接続されている接続面領域を特定し、
前記距離画像の高さ情報から、ワイヤ領域と、ワイヤ以外の領域とを分離して、
前記距離画像におけるワイヤ領域を前記全焦点画像に対応させて、全焦点画像におけるワイヤ領域を特定し、
前記全焦点画像のワイヤ領域のうち、検出対象となるワイヤの、一方の接続面領域と他方の接続面領域とを繋ぐワイヤ領域を抽出し、このワイヤ領域を検出対象のワイヤとして特定することを特徴とするボンディングワイヤの検出方法。
【請求項２】
全焦点画像において、接続面領域の特定を自動的に行うことを特徴とする請求項１に記載のボンディングワイヤの検出方法。
【請求項３】
接続面と離れた位置に存在する目印を設定し、接続面領域と目印との相対位置情報を記憶し、前記目印を全焦点画像又は距離画像内で見つけることにより、記憶されている相対位置情報から接続面領域を特定する請求項２に記載のボンディングワイヤの検出方法。
【請求項４】
前記距離画像において、前記接続面領域が水平方向に対して傾斜している場合は、接続面領域が水平になるように距離画像を補正することを特徴とする請求項１〜請求項３のいずれか１項に記載のボンディングワイヤの検出方法。
【請求項５】
接続面にボンディングされたワイヤを３次元的に検出するボンディングワイヤの検出装置であって、
ボンディングされたワイヤ及び接続面の焦点の異なる画像を複数撮像する撮像手段と、
焦点の異なる複数の画像から、局所領域ごとにフォーカスを評価し、フォーカスの合っている局所画像の組み合わせで再構成されて全てのピクセルにおいてフォーカスが合っている前記ワイヤ及び接続面の全焦点画像を作成する全焦点画像作成手段と、前記全焦点画像に対応し、撮像と同時に各画素ごとにフォーカス度合が最大となった時点における相対距離情報であって、撮像手段からの距離に応じて輝度により表現された前記ワイヤ及び接続面の距離画像を作成する距離画像作成手段と、
前記全焦点画像から、ワイヤが接続されている接続面領域を特定する接続面領域特定手段と、
前記距離画像の高さ情報から、ワイヤ領域と、ワイヤ以外の領域とを分離する分離手段と、
前記全焦点画像のワイヤ領域のうち、検出対象となるワイヤの、一方の接続面領域と他方の接続面領域とを繋ぐワイヤ領域を抽出し、このワイヤ領域を検出対象のワイヤとして特定するワイヤ抽出手段とを備えたことを特徴とするボンディングワイヤの検出装置。
【請求項６】
全焦点画像において、接続面領域の特定を自動的に行うことを特徴とする請求項５に記載のボンディングワイヤの検出装置。
【請求項７】
接続面と離れた位置に存在する目印を設定し、接続面領域と目印との相対位置情報を記憶し、前記目印を全焦点画像又は距離画像内で見つけることにより、記憶されている相対位置情報から接続面領域を特定する請求項６に記載のボンディングワイヤの検出装置。
【請求項８】
前記距離画像において、前記接続面領域が水平方向に対して傾斜している場合は、接続面領域が水平になるように距離画像を補正する傾き補正手段を備えたことを特徴とする請求項５〜請求項７のいずれか１項に記載のボンディングワイヤの検出装置。
【発明の詳細な説明】
【技術分野】
【０００１】
本発明は、ボンディングされたワイヤを３次元的に検出するボンディングワイヤの検出方法及びボンディングワイヤの検出装置に関する。
【背景技術】
【０００２】
電子デバイスの製造工程におけるワイヤボンディング後の検査では、種々のワイヤループ検査（例えば、ワイヤの高さや曲がり等の計測）が行われる（特許文献１）。これらの計測を安定して行うためには、ワイヤの軌跡を正しく認識することが必要である。例えば、ワイヤの最高点の高さを数値で得たい場合に、ワイヤの最高点を得るための手順は、まず、検査対象となるワイヤがどのワイヤであるかを特定し、その次に、特定したワイヤの中で一番高い箇所を認識する。
【０００３】
前記特許文献１に記載されているワイヤの特定方法は、検査対象であるワイヤに対する照明の照射方向を切り替えることにより、ワイヤのみが明るくなるように撮影して、その反射光の明暗によって画像を生成する。この画像から、明るい線を追跡して、ワイヤ特有の特徴（例えば細い）を有するものをワイヤと特定する。
【先行技術文献】
【特許文献】
【０００４】
【特許文献１】特開平５−１６０２３３号公報
【発明の概要】
【発明が解決しようとする課題】
【０００５】
ところで、ボンディングされたワイヤは、曲がり等により、特定すべきワイヤの領域に隣のワイヤが入ることがある。また、ワイヤを上下に立体交差させる場合があり、この場合は、ワイヤの高さの閾値は、夫々のワイヤ毎に別々に設定する必要がある。このため、特定すべきワイヤの軌跡を１本ずつ正確に認識する必要がある。しかしながら、１本ずつのワイヤの軌跡を認識する方法を備えていない場合は、その後のワイヤ検査（例えばワイヤの高さ検査）を正確に行うことができないという問題がある。
【０００６】
また、ワイヤの背景（ワイヤ以外のもの）には、チップやチップ上の配線パターン、ペースト、異物など光学的に様々な反射特性を持った構造物が存在しており、その位置関係も個体差があり、ばらつきがある。従って、特許文献１の方法は、ワイヤのみを明るく撮影することは困難であることが多い上、照明の照射方向や明るさなど、照明設定を厳密に行う必要があり、設定に手間がかかる。また、例えば、撮影領域の中で最も高い位置をワイヤの最高点の高さであると設定する方法を採用すると、ワイヤよりも高位置に異物が存在すると、異物の高さがワイヤの最高点の高さであると誤認識し、検査が不安定となるという問題がある。
【０００７】
そこで、本発明は斯かる実情に鑑み、簡単な方法で、検出対象となるワイヤを正確に特定することができるボンディングワイヤの検出方法およびボンディングワイヤの検出装置を提供しようとするものである。
【課題を解決するための手段】
【０００８】
本発明のボンディングワイヤの検出方法は、接続面にボンディングされたワイヤを３次元的に検出するボンディングワイヤの検出方法であって、ボンディングされたワイヤ及び接続面の焦点の異なる画像を複数撮像し、焦点の異なる複数の画像から、局所領域ごとにフォーカスを評価し、フォーカスの合っている局所画像の組み合わせで再構成されて全てのピクセルにおいてフォーカスが合っている前記ワイヤ及び接続面の全焦点画像と、この全焦点画像に対応し、撮像と同時に各画素ごとにフォーカス度合が最大となった時点における相対距離情報であって、撮像手段からの距離に応じて輝度により表現された前記ワイヤ及び接続面の距離画像を作成し、前記全焦点画像から、ワイヤが接続されている接続面領域を特定し、前記距離画像の高さ情報から、ワイヤ領域と、ワイヤ以外の領域とを分離して、前記距離画像におけるワイヤ領域を前記全焦点画像に対応させて、全焦点画像におけるワイヤ領域を特定し、前記全焦点画像のワイヤ領域のうち、検出対象となるワイヤの、一方の接続面領域と他方の接続面領域とを繋ぐワイヤ領域を抽出し、このワイヤ領域を検出対象のワイヤとして特定するものである。
【０００９】
本発明のボンディングワイヤの検出方法によれば、距離画像から、高さ情報を面として取得することができるため、ワイヤ領域を面として認識でき、ワイヤ領域と、ワイヤ以外の領域とを安定して分離することができ、簡単にワイヤの軌跡を抽出することができる。また、ワイヤが接続されている接続面領域を特定して、ボンディングされるべき領域を指定するため、ワイヤの先端部を認識する必要がない。このため、チップ等の接続面に対して、ワイヤのボンディング位置がずれていても（ワイヤ毎で異なっていても）、その影響を受けることなく、簡単にワイヤの軌跡を抽出することができる。検出対象となるワイヤを抽出する際は、検出対象となるワイヤの一方の接続面領域と他方の接続面領域とを繋ぐものを検出対象のワイヤとするため、検出対象のワイヤ以外のもの（例えば、検出対象のワイヤとは異なる他のワイヤや異物等）を、検出対象のワイヤ認識から排除することができる。これにより、検出対象となるワイヤを正確に特定することができる。
【００１０】
前記構成において、検出対象のワイヤを特定した後、特定したワイヤの検査を行ってもよい。これにより、検出対象のワイヤとは異なる他のワイヤや異物等を、検査対象から除外することができ、検査対象となっているワイヤの検査を正確に行うことができる。
【００１１】
前記距離画像において、他の領域よりも高位を示す領域がワイヤ領域であるとして、ワイヤ領域とワイヤ以外の領域とを分離してもよい。
【００１２】
前記距離画像において、前記接続面領域が水平方向に対して傾斜している場合は、接続面領域が水平になるように距離画像を補正するようにしてもよい。これにより、距離画像において接続面領域が傾きを示している場合でも、その傾斜の影響を受けることなく、正確にワイヤ領域と、ワイヤ以外の領域とを分離することができる。
【００１３】
本発明のボンディングワイヤの検出装置は、接続面にボンディングされたワイヤを３次元的に検出するボンディングワイヤの検出装置であって、ボンディングされたワイヤ及び接続面の焦点の異なる画像を複数撮像する撮像手段と、焦点の異なる複数の画像から、局所領域ごとにフォーカスを評価し、フォーカスの合っている局所画像の組み合わせで再構成されて全てのピクセルにおいてフォーカスが合っている前記ワイヤ及び接続面の全焦点画像を作成する全焦点画像作成手段と、前記全焦点画像に対応し、撮像と同時に各画素ごとにフォーカス度合が最大となった時点における相対距離情報であって、撮像手段からの距離に応じて輝度により表現された前記ワイヤ及び接続面の距離画像を作成する距離画像作成手段と、前記全焦点画像から、ワイヤが接続されている接続面領域を特定する接続面領域特定手段と、前記距離画像の高さ情報から、ワイヤ領域と、ワイヤ以外の領域とを分離する分離手段と、前記全焦点画像のワイヤ領域のうち、検出対象となるワイヤの、一方の接続面領域と他方の接続面領域とを繋ぐワイヤ領域を抽出し、このワイヤ領域を検出対象のワイヤとして特定するワイヤ抽出手段とを備えたものである。
【００１４】
前記構成において、検出対象のワイヤを特定した後、特定したワイヤの検査を行う検査手段を備えてもよい。
【００１５】
前記分離手段は、前記距離画像において、他の領域よりも高位を示す領域がワイヤ領域であるとして、ワイヤ領域とワイヤ以外の領域とを分離するものとしてもよい。
【００１６】
前記距離画像において、前記接続面領域が水平方向に対して傾斜している場合は、接続面領域が水平になるように距離画像を補正する傾き補正手段を備えてもよい。
【発明の効果】
【００１７】
本発明では、簡単な方法で、検出対象となるワイヤを正確に特定することができる。
【図面の簡単な説明】
【００１８】
【図１】本発明のボンディングワイヤの検出装置を示すブロック図である。
【図２】本発明のボンディングワイヤの検出方法により全焦点画像及び距離画像に基づいてボンディングワイヤを検出する方法を示す図である。
【図３】本発明のボンディングワイヤの検出方法の手順を示すフローチャート図である。
【図４】図２に示す全焦点画像及び距離画像の撮影対象であるワイヤ及び接続面の側面図である。
【発明を実施するための形態】
【００１９】
以下、本発明の実施の形態を図１〜図４に基づいて説明する。
【００２０】
本発明のボンディングワイヤの検出装置は、電子部品や回路基板の端子などのパターン部分にワイヤ先端部が接合（ボンディング）されている場合に、ボンディングされたワイヤを３次元的に検出するものである。以下、「ワイヤ」は、図４に示すような実際のワイヤをいい、「接続面」は、図４に示すような実際の接続面をいう。また、「ワイヤ領域」は、図２に示すような全焦点画像又は距離画像において示されたワイヤの領域をいい、「接続面領域」は、図２に示すような全焦点画像又は距離画像において示された接続面の領域をいう。
【００２１】
本発明のボンディングワイヤの検出装置は、図１に示すように撮像手段１と、図示省略のコンピュータに設けられる、メモリ１０と、全焦点画像作成手段２と、距離画像作成手段３と、接続面領域特定手段４と、分離手段５と、傾き補正手段６と、ワイヤ領域対応手段７と、抽出手段８と、検査手段９とを備えている。また、コンピュータには図示省略の表示手段（モニタ）が接続されている。
【００２２】
撮像手段１はＣＣＤカメラ等からなり、撮像物体であるワイヤ２０及び接続面（ボンディング面）２１（図４参照）を含む画像を取得する。撮像手段１はｚ方向に（上下方向に）移動することができ、撮像物体との距離を変化させて、上下方向に焦点が異なる画像を複数枚取得する。
【００２３】
全焦点画像作成手段２は、焦点の異なる複数の画像データに基づいて、図２（ａ）に示すような全焦点画像２２を作成するものである。全焦点画像とは、撮像系と物体との距離を連続的に変化させて（カメラをｚ方向にスキャンさせて）、焦点の異なる画像を複数枚撮影し、局所領域ごとにフォーカスを評価し、フォーカスの合っている局所画像の組み合わせで再構成したものである。これにより、全焦点画像は、全てのピクセルにおいてフォーカスが合っている。
【００２４】
距離画像作成手段３は、例えば、撮像と同時に各画素ごとにフォーカス度合が最大となった時点における相対距離情報を記憶し、図２（ｂ）に示すような、撮像手段１から撮像物体までの距離画像２５を作成するものである。すなわち、距離画像は、撮像手段からの距離に応じて輝度（グレースケール）により表現された画像であり、距離画像により撮像した物体の高さ情報を得ることができ、例えば、高位のものは淡色で表現され、低位のものは濃色で表現される。その場合、撮像手段１からの距離が近いものは白色に近くなり、撮像手段１からの距離が遠いものは黒色に近くなる。
【００２５】
接続面領域特定手段４は、全焦点画像２２において、ワイヤが接続される接続面領域を特定するものである。具体的には、表示手段に図２（ａ）に示すような全焦点画像２２が表示されており、ユーザが例えばマウスのドラッグ等により、図２（ｃ）に示すように全焦点画像２２において接続面領域３１の範囲を指定して特定したときに、接続面領域特定手段４は、その指定された範囲を記憶する。複数のワイヤが撮影されている場合、ユーザは、第１のワイヤの一方の接続面領域３１ａ１、第１のワイヤの他方の接続面領域３１ａ２、第２のワイヤの一方の接続面領域３１ｂ１、第２のワイヤの他方の接続面領域３１ｂ２・・・として、ワイヤを１本ずつ、接続面毎に指定する。このため、接続面領域特定手段４は、指定された接続面領域３１が、どのワイヤの接続面であるかについても記憶する。
【００２６】
分離手段５は、距離画像２５において、ワイヤ領域３０と、ワイヤ以外の領域とを分離するものである。すなわち、分離手段５は、距離画像２５において、より淡色（白に近い）の部分がワイヤ領域３０であるとして、距離画像２５のワイヤ領域３０とワイヤ以外の領域とを分離する。
【００２７】
傾き補正手段６は、後述する方法で、距離画像２５において、接続面領域３１が水平方向に対して傾斜している場合は、接続面領域３１が水平になるように距離画像２５を補正するものである。距離画像２５において接続面領域３１が傾きを示している場合、高さの閾値によりワイヤ領域３０とワイヤ以外の領域とを分離すると、接続面に沿った分離ができなくなり（つまり、接続面が傾斜しているにもかかわらず、水平方向に分離することになり）、正確にワイヤ領域３０とワイヤ以外の領域とを分離することができない。このため、傾き補正手段６は、距離画像２５において接続面領域が傾きを示している場合でも、その傾斜の影響を受けることなく、正確にワイヤ領域３０と、ワイヤ以外の領域とを分離することができる。
【００２８】
ワイヤ領域対応手段７は、距離画像２５におけるワイヤ領域３０を全焦点画像２２に対応させるものであり、全焦点画像２２のうち、ワイヤ領域３０に相当する部分を囲む等して、全焦点画像２２においてワイヤ領域３０がどの範囲であるのかをユーザに示す。
【００２９】
抽出手段８は、全焦点画像２２のワイヤ領域３０のうち、検出対象となるワイヤの、一方の接続面領域３１と他方の接続面領域３１とを繋ぐワイヤ領域３０を抽出し、このワイヤ領域３０を検出対象のワイヤとして特定するものである。つまり、抽出手段８は、検出対象となる１本のワイヤの軌跡を抽出する。
【００３０】
検査手段９は、抽出手段８により抽出した検査対象のワイヤの軌跡に基づいて、種々のワイヤループ検査（例えば、ワイヤの高さや曲がり等の計測）を行うものである。
【００３１】
本発明のボンディングワイヤの検出装置を使用したボンディングワイヤの検出方法を図３のフローチャートを用いて説明する。
【００３２】
撮像手段１は、ワイヤ２０及び接続面２１が撮影範囲となるようにして、上下方向に焦点の異なる実画像を複数枚取得する（ステップＳ１）。これにより、焦点の異なる複数の画像データがメモリ１０に格納される。全焦点画像作成手段２は、メモリ１０に格納されている画像データから、図２（ａ）に示すような全焦点画像２２を作成し、距離画像作成手段３は、図２（ｂ）に示すような距離画像２５を作成する（ステップＳ２）。図２（ａ）（ｂ）では、３本のワイヤ及び夫々のワイヤが接続される接続面が撮影されており、左から順に、第１のワイヤ領域３０ａ及び接続面領域３１ａ１、３１ａ２、第２のワイヤ領域３０ｂ及び接続面領域３１ｂ１、３１ｂ２、第３のワイヤ領域３０ｃ及び接続面領域３１ｃ１、３１ｃ２を示している。また、他のワイヤ領域３０ｄも撮影されている。
【００３３】
次に、接続面領域特定手段４は、全焦点画像２２において接続面領域３１ａ１〜３１ｃ２を特定する（ステップＳ３）。第１の方法は、ユーザが例えばマウスのドラッグ等により、全焦点画像２２において、図２（ｃ）の点線で示すようにワイヤを１本ずつ接続面毎に、接続面領域３１ａ１〜３１ｃ２の範囲を囲んで指定すると、接続面領域特定手段４は、その指定された範囲を記憶する。このとき、接続面領域特定手段４は、夫々の接続面領域３１ａ１〜３１ｃ２が、どのワイヤに対応するものであるかについても記憶する。第２の方法は、第１の方法により予め記憶した情報に基づいて、接続面領域の特定を自動的に行う。接続面領域の特定を自動的に行うには、例えば次のような方法がある。全焦点画像２２内で、接続面と離れた位置に存在する模様や物体等を目印として設定し、接続面領域と目印との相対位置を予めコンピュータに記憶させておく。それ以降の撮影で、目印を全焦点画像２２内で見つけることにより、記憶している相対位置情報から接続面領域を自動的に特定することができる。なお、目印の設定には、全焦点画像２２の代わりに、距離画像２５を使用することも可能である。
【００３４】
次に、分離手段５は、距離画像２５から、ワイヤ領域３０と、ワイヤ以外の領域とを分離する。具体的には、分離手段５は、図２（ｂ）に示すように、距離画像２５のワイヤ領域３０及び接続面領域３１の範囲を、一方の接続面領域３１ａ１、３１ｂ１、３１ｃ１の範囲（ａ）、他方の接続面領域３１ａ２、３１ｂ２、３１ｃ２の範囲（ｃ）、範囲（ａ）と範囲（ｃ）との間の領域を範囲（ｂ）として、３つの範囲に分割する。範囲（ａ）及び範囲（ｃ）は、図２（ｂ）に示すように、濃色（黒色）の範囲（接続面領域３１）の中に淡色（ドット）の範囲（ワイヤ領域３０）があり、かつ、淡色（ドット）の範囲が濃色の範囲の一端部に達している領域であり、図４に示すように、接続面２１からワイヤ２０が立ち上がる範囲である。範囲（ｂ）の領域は、最も淡色（白色）のライン（ワイヤ領域３０）を示す領域であり、図４に示すように、高位のワイヤ２０の範囲である。
【００３５】
このとき、距離画像２５において、範囲（ａ）（ｃ）の濃色の部分が、濃淡のグラデーションを有する場合には、接続面領域３１の面が水平方向に対して傾斜していることを示している。この場合、傾き補正手段６は、範囲（ａ）（ｃ）の濃色の部分の色が一律になるように調整して（つまり、距離画像２５において、接続面領域３１が水平方向となるように全体を傾斜させて仮想的な接続面領域を生成して）、補正した距離画像を生成する（ステップＳ４）。
【００３６】
この補正を行った後、分離手段５は、距離画像２５において、ワイヤ領域３０と、ワイヤ以外の領域とを分離する（ステップＳ５）。すなわち、距離画像２５の範囲（ａ）〜範囲（ｃ）の夫々の範囲において、より淡色（白に近い）の部分がワイヤ領域３０であるとする。範囲（ａ）では、円形部とここから突出する部分がより淡色となっており、この部分がワイヤ領域３０である。範囲（ｂ）では、白色の部分がワイヤ領域３０である。範囲（ｃ）では、ライン状の部分がより淡色となっており、この部分がワイヤ領域３０である。これにより、距離画像２５において、ワイヤ領域３０と、ワイヤ以外の領域とを分離することができる。
【００３７】
その後、ワイヤ領域対応手段７は、距離画像２５におけるワイヤ領域３０を全焦点画像２２に対応させる（ステップＳ６）。これにより、全焦点画像２２の中で、ワイヤ領域３０のみを特定することができる。ワイヤ領域対応手段７は、全焦点画像２２においてワイヤ領域３０が特定できると、図２（ｄ）の点線で示すように、全焦点画像２２のうち、ワイヤ領域３０に相当する部分を囲む。これにより、全焦点画像２２においてワイヤ領域３０がどの範囲であるのかをユーザに示すことができる。
【００３８】
その後、抽出手段８は、全焦点画像２２のワイヤ領域３０のうち、検出対象となるワイヤの一方の接続面領域３１と、他方の接続面領域３１とを繋ぐワイヤ領域３１を抽出し、このワイヤ領域３１を検出対象のワイヤとして特定する（ステップＳ７）。例えば第１のワイヤを検出する場合、このワイヤの一方の接続面領域３１ａ１と他方の接続面領域３０ａ２とが接続面領域特定手段４に記憶されているため、抽出手段８は、第１のワイヤの接続面領域３１ａ１、３１ａ２の情報を読み出し、これらの領域の間にあるワイヤ領域３０ａのみを抽出する。これにより、抽出手段８は、図２（ｅ）に示す検査画面（図２（ａ）の拡大画面）に別のワイヤ領域３０ｄが入っていても、図２（ｆ）に示すように、検出対象となる第１のワイヤ領域３０ａ以外のものを除外して、検出対象となる第１のワイヤの軌跡を抽出することができる。
【００３９】
検査手段９は、抽出手段８により抽出したワイヤの軌跡に基づいて、種々のワイヤループ検査（例えば、ワイヤの高さや曲がり等の計測）を行う（ステップＳ８）。
【００４０】
本発明のボンディングワイヤの検出装置及びボンディングワイヤの検出方法は、距離画像２５から、高さ情報を面として取得することができるため、ワイヤ領域３０を面として認識でき、ワイヤ領域３０と、ワイヤ以外の領域とを安定して分離することができ、簡単にワイヤの軌跡を抽出することができる。また、ワイヤが接続されている接続面領域３１を特定して、ボンディングされるべき領域を指定するため、ワイヤの先端部を認識する必要がない。このため、チップ等の接続面に対して、ワイヤのボンディング位置がずれていても（ワイヤ毎で異なっていても）、その影響を受けることなく、簡単にワイヤの軌跡を抽出することができる。検出対象となるワイヤを抽出する際は、検出対象となるワイヤの一方の接続面領域３１と他方の接続面領域３１とを繋ぐものを検出対象のワイヤとするため、検出対象のワイヤ以外のもの（例えば、検出対象のワイヤとは異なる他のワイヤや異物等）を、検出対象のワイヤ認識から排除することができる。これにより、簡単な方法で、検出対象となるワイヤを正確に特定することができる。
【００４１】
以上、本発明の実施形態につき説明したが、本発明は前記実施形態に限定されることなく種々の変形が可能であって、例えば、撮像手段１は、ＣＣＤカメラに限られず、ＣＭＯＳカメラ等種々のものを採用することができる。傾き補正手段６は省略してもよい。また、ワイヤ領域対応手段７を省略してもよい。この場合、ユーザが画像を参照しながら距離画像２５のワイヤ領域３１を全焦点画像２２に対応させる。また、ワイヤ領域対応手段７にて、ワイヤ領域３０をユーザに示す手段は、ワイヤ領域３０を囲む以外に、ワイヤ領域３０を色づけしたり、ワイヤ領域３０のみを表示する等、全焦点画像２２においてワイヤ領域３０がどの領域であるかをユーザが認識できれば種々の方法とすることができる。ワイヤループ検査は、ワイヤの有無、ワイヤ切れ、ダブルループ等、ワイヤに関する種々の検査とすることができる。図２（ｃ）の画面を省略してもよい。距離画像２５は、グレースケール以外に他の色で濃淡が表現されたものであってもよいし、複数色にて表現されたものであってもよい。撮影するワイヤの本数も、１本以上であれば何本でもよい。接続面間を繋ぐワイヤの本数は、複数であってもよい。
【符号の説明】
【００４２】
１     撮像手段
２     全焦点画像作成手段
３     距離画像作成手段
４     接続面領域特定手段
５     分離手段
６     傾き補正手段
８     抽出手段
９     検査手段
２０   ワイヤ
２１   接続面
２２   全焦点画像
２５   距離画像
３０   ワイヤ領域
３１   接続面領域
【図１】
0006433810.tif 000002
【図２】
0006433810.tif 000003
【図３】
0006433810.tif 000004
【図４】
0006433810.tif 000005